(57)【要約】【課題】遊技客の景品交換サービスに係る利便性を向上させることを課題とする。【解決手段】会員カード処理機６０では、交換対象とする景品の指定を受け付け、獲得玉の計数結果から指定景品の交換玉数を徴収し、当該指定景品との交換を保証する交換チケットを携帯電話機１００のＩＤｍに対応付けて会員管理Ｔ／Ｃ１０に管理させ、自販機子機８０では、携帯電話機１００のＩＤｍに対応付けて会員管理Ｔ／Ｃ１０に管理された交換チケットと、該交換チケットに対応する指定景品との交換制御を行うことで、自販機子機で電子データを交換対価として使用させることができるようにしている。【選択図】        図２
2009061037.tif 000002
【特許請求の範囲】
【請求項１】
遊技媒体と景品との交換制御を行う景品交換機を有する景品交換システムであって、
遊技店内に配設された所定の店内機器は、
遊技客が所持する携帯端末に前記景品と交換可能な価値を関連付ける関連付け手段を備え、
前記景品交換機は、
前記関連付け手段によって前記携帯端末に関連付けられた価値と前記景品との交換制御を行う交換制御手段を備えた
ことを特徴とする景品交換システム。
【請求項２】
前記店内機器は、遊技客によって獲得された遊技媒体を計数する計数機であって、
前記計数機は、
交換対象とする景品の指定を受け付ける景品指定受付手段と、
前記遊技媒体の計数結果から前記景品指定受付手段によって受け付けられた指定景品と等価な数量の遊技媒体を徴収する遊技媒体徴収手段とをさらに備え、
前記関連付け手段は、前記遊技媒体徴収手段によって指定景品分の遊技媒体が徴収された場合に、前記景品指定受付手段によって受け付けられた指定景品との交換を保証する交換チケットを前記携帯端末に関連付け、
前記交換制御手段は、前記関連付け手段によって前記携帯端末に関連付けられた交換チケットと、該交換チケットに対応する指定景品との交換制御を行うことを特徴とする請求項１に記載の景品交換システム。
【請求項３】
前記店内機器は、遊技客によって獲得された遊技媒体を計数する計数機であって、
前記携帯端末は、
交換対象とする景品の指定を受け付ける景品指定受付手段と、
前記景品指定受付手段によって受け付けられた指定景品を記憶する指定景品記憶手段とをさらに備え、
前記計数機は、
前記指定景品記憶手段によって記憶された指定景品を取得する指定景品取得手段と、
前記遊技媒体の計数結果から前記指定景品取得手段によって取得された指定景品と等価な数量の遊技媒体を徴収する遊技媒体徴収手段とをさらに備え、
前記関連付け手段は、前記遊技媒体徴収手段によって指定景品分の遊技媒体が徴収された場合に、前記景品指定受付手段によって受け付けられた指定景品との交換を保証する交換チケットを前記携帯端末に関連付け、
前記交換制御手段は、前記関連付け手段によって前記携帯端末に関連付けられた交換チケットと、該交換チケットに対応する指定景品との交換制御を行うことを特徴とする請求項１に記載の景品交換システム。
【請求項４】
前記店内機器は、遊技用記録媒体に価値付けられた価値又は現金に基づいて遊技媒体の貸出処理を行う台間機であって、
前記台間機は、
前記景品との交換を行う金額の指定を受け付ける金額指定受付手段と、
前記遊技用記録媒体に価値付けられた価値又は現金から前記金額指定受付手段によって受け付けられた指定金額を徴収する指定金額徴収手段とをさらに備え、
前記関連付け手段は、前記指定金額徴収手段によって徴収された指定金額と等価な景品との交換を保証する交換チケットを前記携帯端末に関連付け、
前記交換制御手段は、前記関連付け手段によって前記携帯端末に関連付けられた交換チケットと、該交換チケットに対応する指定金額範囲内の景品との交換制御を行うことを特徴とする請求項１に記載の景品交換システム。
【請求項５】
前記交換制御手段は、前記交換チケットに対応する指定金額未満の景品が交換対象として選択された場合に、前記指定金額から当該景品との交換に要する交換金額を減算する交換制御を行い、
前記台間機は、
前記交換制御手段による減算後の残金額であることを条件に、当該残金額と引き換えに該残金額に相当する数量の遊技媒体を貸出し処理する貸出し処理手段をさらに備えたことを特徴とする請求項４に記載の景品交換システム。
【請求項６】
前記関連付け手段は、前記交換チケットを前記携帯端末に関連付けてから所定期間もしくは前記交換チケットを用いた交換制御が検知されなくなってから所定期間に限って当該交換チケットの使用を有効とする有効期限を前記携帯端末にさらに関連付けることを特徴とする請求項２、３または４に記載の景品交換システム。
【請求項７】
遊技媒体と景品との交換制御を行う景品交換機を有する景品交換システムに用いる景品交換方法であって、
遊技店内に配設された所定の店内機器が、
遊技客が所持する携帯端末に前記景品と交換可能な価値を関連付ける関連付け工程を含み、
前記景品交換機が、
前記関連付け工程によって前記携帯端末に関連付けられた価値と前記景品との交換制御を行う交換制御工程を含んだ
ことを特徴とする景品交換方法。
【発明の詳細な説明】
【技術分野】
【０００１】
本発明は、遊技媒体と景品との交換制御を行う景品交換機を有する景品交換システム及びその景品交換方法に関する。
【背景技術】
【０００２】
従来、パチンコ遊技及びパチスロ遊技を提供する遊技店においては、遊技客によって獲得された遊技媒体を遊技客が希望する景品に交換する景品交換サービスを提供している。かかる景品交換サービスを提供するものとしては、パチンコ玉やメダル等の遊技媒体の数量が関連付けられた計数レシートや会員カードを通じて遊技媒体と景品との交換を管理する景品管理装置が広く普及している（例えば、特許文献１参照）。
【０００３】
また、食料、飲料やタバコなどのように遊技客の需要が高い一般景品を遊技店の従業員の手を煩わせずに景品交換させる観点から、現物の玉・メダル又は貯玉・貯メダルを引き換えに食料、飲料やタバコ等の一般景品を交換するように制御する自販機子機が遊技店内に配設されている。
【０００４】
【特許文献１】特開２００２−３３１１４６号公報
【発明の開示】
【発明が解決しようとする課題】
【０００５】
ところで、最近では、遊技客に低料金で比較的長い時間楽しんでもらえる遊技を提供したいというニーズ、遊技台のお試し遊技の提供や人気分析等のニーズから、たとえばパチンココーナーにおいては汎用の貸出レート（４円／玉）よりも低い貸出レート（１円／玉）の低レートコーナーを汎用貸出レート（高レート）のコーナーと併存させる仕組みが確立されつつある。
【０００６】
しかしながら、遊技店にて低貸出レートの遊技コーナーを設ける場合には、受け入れる遊技媒体の数量が汎用の貸出レートに比べて多くなるが、かかる汎用の貸出レートを基準に設計された自販機子機では受け入れる遊技媒体の数量に限界があるため、交換対価の遊技媒体を受け入れきることができない。
【０００７】
例えば、パチンコ玉と一般景品との交換を行う自販機子機では、２５０個程度の投入玉を受け入れることができる容量を有しているが、３００円のタバコを低レート（１円／玉）で交換する場合には、３００個が投入されるので投入玉すべてを受け入れることができない。
【０００８】
このため、自販機子機の投入玉の受入容量を大容量化することも考えられるが、その分多くのパチンコ玉を遊技客に投入させる手間が増え、また、自販機子機自体が大型化し、限りある店内スペースを有効に利用できなくなるというデメリットが大きく、現実的とは言えない。さらに、タバコのように年々価格の値上げが行われる景品に追従して容量を大きくしていたのでは、遊技店に自販機子機の逐次買い替えを強いることになり、この面からも得策とは言えない。
【０００９】
このことから、パチンコホールにおいて低レートコーナーを設ける場合に、いかにして自販機子機での景品交換を行わせ、もって遊技客の景品交換サービスに係る利便性を向上させるかが重要な課題となっている。
【００１０】
そこで、本発明は、上述した従来技術による課題（問題点）を解消するためになされたものであり、遊技客の景品交換サービスに係る利便性を向上させることができる景品交換システム及び景品交換方法を提供することを目的とする。
【課題を解決するための手段】
【００１１】
上述した課題を解決し、目的を達成するために、本発明に係る景品交換システムは、遊技媒体と景品との交換制御を行う景品交換機を有する景品交換システムであって、遊技店内に配設された所定の店内機器は、遊技客が所持する携帯端末に前記景品と交換可能な価値を関連付ける関連付け手段を備え、前記景品交換機は、前記関連付け手段によって前記携帯端末に関連付けられた価値と前記景品との交換制御を行う交換制御手段を備えたことを特徴とする。
【００１２】
また、本発明に係る景品交換システムは、前記店内機器は、遊技客によって獲得された遊技媒体を計数する計数機であって、前記計数機は、交換対象とする景品の指定を受け付ける景品指定受付手段と、前記遊技媒体の計数結果から前記景品指定受付手段によって受け付けられた指定景品と等価な数量の遊技媒体を徴収する遊技媒体徴収手段とをさらに備え、前記関連付け手段は、前記遊技媒体徴収手段によって指定景品分の遊技媒体が徴収された場合に、前記景品指定受付手段によって受け付けられた指定景品との交換を保証する交換チケットを前記携帯端末に関連付け、前記交換制御手段は、前記関連付け手段によって前記携帯端末に関連付けられた交換チケットと、該交換チケットに対応する指定景品との交換制御を行うことを特徴とする。
【００１３】
また、本発明に係る景品交換システムは、前記店内機器は、遊技客によって獲得された遊技媒体を計数する計数機であって、前記携帯端末は、交換対象とする景品の指定を受け付ける景品指定受付手段と、前記景品指定受付手段によって受け付けられた指定景品を記憶する指定景品記憶手段とをさらに備え、前記計数機は、前記指定景品記憶手段によって記憶された指定景品を取得する指定景品取得手段と、前記遊技媒体の計数結果から前記指定景品取得手段によって取得された指定景品と等価な数量の遊技媒体を徴収する遊技媒体徴収手段とをさらに備え、前記関連付け手段は、前記遊技媒体徴収手段によって指定景品分の遊技媒体が徴収された場合に、前記景品指定受付手段によって受け付けられた指定景品との交換を保証する交換チケットを前記携帯端末に関連付け、前記交換制御手段は、前記関連付け手段によって前記携帯端末に関連付けられた交換チケットと、該交換チケットに対応する指定景品との交換制御を行うことを特徴とする。
【００１４】
また、本発明に係る景品交換システムは、前記店内機器は、遊技用記録媒体に価値付けられた価値又は現金に基づいて遊技媒体の貸出処理を行う台間機であって、前記台間機は、前記景品との交換を行う金額の指定を受け付ける金額指定受付手段と、前記遊技用記録媒体に価値付けられた価値又は現金から前記金額指定受付手段によって受け付けられた指定金額を徴収する指定金額徴収手段とをさらに備え、前記関連付け手段は、前記指定金額徴収手段によって徴収された指定金額と等価な景品との交換を保証する交換チケットを前記携帯端末に関連付け、前記交換制御手段は、前記関連付け手段によって前記携帯端末に関連付けられた交換チケットと、該交換チケットに対応する指定金額範囲内の景品との交換制御を行うことを特徴とする。
【００１５】
また、本発明に係る景品交換システムは、前記交換制御手段は、前記交換チケットに対応する指定金額未満の景品が交換対象として選択された場合に、前記指定金額から当該景品との交換に要する交換金額を減算する交換制御を行い、前記台間機は、前記交換制御手段による減算後の残金額であることを条件に、当該残金額と引き換えに該残金額に相当する数量の遊技媒体を貸出し処理する貸出し処理手段をさらに備えたことを特徴とする。
【００１６】
また、本発明に係る景品交換システムは、前記関連付け手段は、前記交換チケットを前記携帯端末に関連付けてから所定期間もしくは前記交換チケットを用いた交換制御が検知されなくなってから所定期間に限って当該交換チケットの使用を有効とする有効期限を前記携帯端末にさらに関連付けることを特徴とする。
【００１７】
また、本発明に係る景品交換方法は、遊技媒体と景品との交換制御を行う景品交換機を有する景品交換システムに用いる景品交換方法であって、遊技店内に配設された所定の店内機器が、遊技客が所持する携帯端末に前記景品と交換可能な価値を関連付ける関連付け工程を含み、前記景品交換機が、前記関連付け工程によって前記携帯端末に関連付けられた価値と前記景品との交換制御を行う交換制御工程を含んだことを特徴とする。
【発明の効果】
【００１８】
本発明によれば、遊技店内に配設された所定の店内機器が、遊技客が所持する携帯端末に景品と交換可能な価値を関連付け、景品交換機が、携帯端末に関連付けられた価値と景品との交換制御を行うように構成したので、景品交換機で電子データを交換対価として使用させることができる結果、低レートコーナーを設けた場合でも会員／非会員を問わず景品交換機を利用させることができ、遊技客の景品交換サービスに係る利便性を向上させることが可能になるという効果が得られる。
【００１９】
また、本発明によれば、計数機が、交換対象とする景品の指定を受け付け、遊技媒体の計数結果から受け付けた指定景品と等価な数量の遊技媒体を徴収し、指定景品分の遊技媒体を徴収した場合に、受け付けた指定景品との交換を保証する交換チケットを携帯端末に関連付け、景品交換機が、携帯端末に関連付けられた交換チケットと、該交換チケットに対応する指定景品との交換制御を行うように構成したので、たとえば景品交換機で交換景品を選択させる手間を不要化することができ、遊技客の景品交換サービスに係る利便性を効果的に向上させることが可能になるという効果が得られる。さらに、これに関連して、景品交換機で遊技媒体を使用させることなく、十分な受入れ許容量を有する計数機で現物と引き換えに交換チケットを携帯端末に関連付けることとしたので、結果として現物と景品とを交換させることが可能になる。
【００２０】
また、本発明によれば、携帯端末が、交換対象とする景品の指定を受け付け、受け付けた指定景品を記憶しておき、計数機が、記憶された指定景品を取得し、遊技媒体の計数結果から取得した指定景品と等価な数量の遊技媒体を徴収し、指定景品分の遊技媒体を徴収した場合に、受け付けた指定景品との交換を保証する交換チケットを携帯端末に関連付け、景品交換機が、携帯端末に関連付けられた交換チケットと、該交換チケットに対応する指定景品との交換制御を行うように構成したので、携帯端末で指定景品を前もって入力させておくことができる結果、たとえば数多の景品の中から指定景品をゆっくり選択させるとともに、計数時に交換を希望する景品を指定させる手間を不要化することが可能になるという効果が得られる。
【００２１】
また、本発明によれば、台間機が、景品との交換を行う金額の指定を受け付け、遊技用記録媒体に価値付けられた価値又は現金から受け付けた指定金額を徴収し、徴収した指定金額と等価な景品との交換を保証する交換チケットを携帯端末に関連付け、景品交換機が、携帯端末に関連付けられた交換チケットと、該交換チケットに対応する指定金額範囲内の景品との交換制御を行うように構成したので、遊技客が任意の金額を交換チケットに関連付けることができる結果、たとえば電子マネーと同等の利便性を持たせたり、指定金額未満の価値の景品の中から希望する景品を景品交換機で自由に選択させたりすることができ、遊技客の景品交換サービスに係る利便性を効果的に向上させることが可能になるという効果が得られる。
【００２２】
また、本発明によれば、交換チケットに対応する指定金額未満の景品が交換対象として選択された場合に、指定金額から当該景品との交換に要する交換金額を減算し、減算後の残金額であることを条件に、当該残金額と引き換えに該残金額に相当する数量の遊技媒体を貸出し処理するように構成したので、交換チケットの購入金額を余すことなく使用させることができる結果、交換チケットの指定金額を厳密に設定させる必要がなくなり、遊技客の景品交換サービスに係る利便性を効果的に向上させることが可能になるという効果が得られる。
【００２３】
また、本発明によれば、交換チケットを携帯端末に関連付けてから所定期間もしくは交換チケットを用いた交換制御が検知されなくなってから所定期間に限って当該交換チケットの使用を有効とする有効期限を携帯端末にさらに関連付けるように構成したので、遊技客に交換チケットが無期限に保有されることがなくなり、たとえば遊技店が在庫として用意しておくべき品数を低減させたり、遊技店が来店のインセンティブとして譲渡しやすくしたりすることが可能になるという効果が得られる。
【発明を実施するための最良の形態】
【００２４】
以下に添付図面を参照して、本発明に係る景品交換システム及び景品交換方法の好適な実施例を詳細に説明する。なお、以下では、本発明をパチンコ遊技に適用する場合について説明することとする。
【実施例１】
【００２５】
まず、本実施例１に係る遊技店の店内システムのシステム構成について説明する。図１は、実施例１に係る遊技店の店内システムのシステム構成を示す図である。なお、本実施例１では、パチンコ玉を１玉４円で貸し出す４円コーナーとパチンコ玉を１玉１円で貸し出す１円コーナーが遊技店内に併設される場合について説明することとする。
【００２６】
同図に示すように、店内システムには、遊技店にて予め登録処理された遊技客の会員情報を管理する会員管理用ターミナルコントローラ（以下、「会員管理Ｔ／Ｃ」と言う）１０と、島コントローラ２０と、カード処理ユニット（以下、「ＣＲユニット」と言う）３０ａ及び３０ｂと、パチンコ機４０ａ及び４０ｂと、計数機５０と、会員カード処理機６０と、景品管理装置７０と、自販機子機８０とが設けられている。
【００２７】
そして、会員管理Ｔ／Ｃ１０には、島コントローラ２０、会員カード処理機６０及び景品管理装置７０が接続されており、島コントローラ２０には、各島に設置された複数のパチンコ機４０ａ及び４０ｂにそれぞれに併設されたＣＲユニット３０ａ及び３０ｂが接続されており、会員カード処理機６０には、パチンコ玉数を計数する計数機５０が接続されており、また、景品管理装置７０には、特殊景品の払出しを行う景品払出機７５及び自販機子機８０が接続されている。なお、自販機子機８０には、自販機子機８０の許可に基づきタバコの投出を行うタバコ交換機９０及び自販機子機８０の許可に基づいて飲料の投出を行う飲料交換機９５がさらに接続されている。
【００２８】
ここで、本実施例１では、ＣＲユニット３０ａ及びパチンコ機４０ａからなる４円コーナーと、ＣＲユニット３０ｂ及びパチンコ機４０ｂからなる１円コーナーとが設けられている。この４円コーナーは、遊技客に対して４円／玉の貸出レートで玉貸しを行う島であり、１円コーナーは、遊技客に対して１円／玉の貸出レートで玉貸しを行う島である。４円／玉の汎用貸出レートよりも低い１円／玉の１円コーナーを設けた理由は、主として、遊技客による試し打ちを可能にするとともに、遊技機に対する遊技客の客付きや評価に関する情報を得るためである。なお、本実施例１では、貸出レート「４円／玉」を玉１と呼称し、貸出レート「１円／玉」を玉２と呼称することとする。
【００２９】
ＣＲユニット３０ａは、現金またはプリペイドカードによる４円／玉の玉貸しを行うユニットであり、例えばこのＣＲユニット３０ａに１０００円札が挿入されると、このＣＲユニット３０ａからパチンコ機４０ａに対して２５０玉の玉投出指示がなされる。一方、ＣＲユニット３０ｂは、１円／玉の玉貸しを行うユニットであり、例えばこのＣＲユニット３０ｂに１０００円札が挿入されると、５００円分（＝５００玉）をパチンコ機４０ｂに払い出させるとともに残額（５００円）を記憶しておき、次の貸出指令を受ければ、その残額分をパチンコ機４０ｂに投出させる。
【００３０】
また、このＣＲユニット３０ａ及び３０ｂは、会員カードや携帯電話機１００等の会員特定媒体を受け付けて会員管理Ｔ／Ｃ１０に預け入れられた貯玉を引き落とすいわゆる再プレイの機能を有する。具体的には、会員がＣＲユニット３０に会員カードを挿入するか、或いは会員がＣＲユニット３０に登録された携帯電話機１００をかざして再プレイ操作を行うと、会員管理Ｔ／Ｃ１０が管理する貯玉残高から再プレイ分の玉数を減算するとともに、パチンコ機４０に対して玉投出指示を行う。このように、かかるＣＲユニット３０は、携帯電話機１００を用いた再プレイにも対応している。
【００３１】
パチンコ機４０ａ及びパチンコ機４０ｂは、パチンコ玉を用いたパチンコ遊技を遊技客に提供する遊技機であり、両者には４円コーナー及び１円コーナーに係る差異はない。ただし、１円コーナーに配設されるパチンコ機４０ｂは、遊技店の売上を担う遊技機ではなく、これから遊技店に新たに導入される新台が配設されることが多い。遊技客が大きな投資をすることなく新台の試し打ちを可能にするとともに、低料金で比較的長い時間楽しんでもらえる遊技を提供するためである。
【００３２】
計数機５０は、遊技客が獲得したパチンコ玉を計数する計数機であり、その計数結果を会員カード処理機６０に出力する。なお、本実施例１では、計数機５０はパチンコ玉の計数機能のみを有することとし、計数結果がバーコード印字された計数レシートを発行する印字機能、並びに、会員管理Ｔ／Ｃ１０にて記憶管理される該当貸出レートの貯玉口座に計数結果の一部または全部を貯玉加算させる計数貯玉機能は、後述する会員カード処理機６０が有することとする。
【００３３】
会員カード処理機６０は、既登録会員による貯玉を行う際に利用される会員用端末装置であり、会員カードに記録した会員ＩＤを読み取るカードリーダや遊技客が所持する携帯電話機１００内のＩＣチップ１１０に記憶された会員ＩＤ（正確には、携帯電話機１００に内蔵されるＩＣチップ１１０固有の製造番号であるＩＤｍ）を読み取るリーダライタを備えている。具体的には、計数機５０から計数結果が入力され、遊技客から受け取った会員カードが遊技店の係員によりカード挿入口に挿入され、獲得玉の遊技コーナーの所属貸出レート（玉１又は玉２の種別）が指定されると、会員ＩＤ、計数結果であるパチンコ玉の貯玉数、貸出レートを含む貯玉加算依頼が会員管理Ｔ／Ｃ１０に対して送信される。
【００３４】
また、会員カード処理機６０は、計数機５０で計数されたパチンコ玉数をバーコード印刷した計数レシートを発行することもでき、遊技店の係員がパチンコ玉の計数時に貸出レートを指定してレシート発行ボタンを押下操作すると、パチンコ玉数、貸出レート、発行日時及び計数機番号がバーコード印刷された計数レシートが発行される。
【００３５】
なお、本実施例１では、一台の計数機５０を用いて４円コーナーで遊技客が獲得したパチンコ玉と１円コーナーで遊技客が獲得したパチンコ玉の両方を計数することとしたが、本発明はこれに限定されるものではなく、４円コーナー専用の計数機と１円コーナー専用の計数機とを別個に配設することもできる。かかる場合には、係員に上記貸出レートを指定させる必要をなくすことができる。
【００３６】
会員管理Ｔ／Ｃ１０は、遊技店に登録された会員の統括管理を行う管理装置であり、後述する貯玉管理テーブル１４ａを用いて会員の貯玉残高を管理する機能を本来の機能として有する。この貯玉管理テーブル１４ａは、会員ＩＤ又はＩＤｍの少なくともいずれか１つに、４円口座及び１円口座の貯玉残高を対応付けて記憶している。そして、会員カード処理機６０又は景品管理装置７０から貯玉加算依頼を受け付けたならばこの貯玉加算依頼に含まれる会員ＩＤ及び貸出レートに該当する貯玉口座内の貯玉残高を加算処理し、ＣＲユニット３０、景品管理装置７０又は自販機子機８０から貯玉減算依頼を受け付けたならばこの貯玉減算依頼に含まれる会員ＩＤ及び貸出レートに該当する貯玉口座内の貯玉残高を減算処理する。なお、本実施例１では、貯玉管理テーブル１４ａを用いた会員の貯玉管理に加え、後述する交換チケット管理テーブル１４ｂを用いて、管理対象を非会員にまで拡張して交換チケットを管理しているが、この交換チケットに係る処理に本発明の特徴があるため、詳細は後述する。
【００３７】
景品管理装置７０は、遊技店内の景品交換カウンタに配設された景品交換用の端末装置であり、交換玉数管理テーブルを用いて獲得玉と景品との交換を管理する。この交換玉数管理テーブルは、各景品に貸出レートごとの交換玉数を対応付けて記憶している。そして、景品交換カウンタ内の従業員が、計数機５０により発行された計数レシートを遊技客から受け取ると、この計数レシートから獲得玉数及び貸出レートをバーコードリーダで読み取るとともに、遊技客により指定された景品に対応する交換ボタンを押下し、当該景品に関して計数レシートから読み取った貸出レートに合致する交換玉数を獲得玉数から減算する交換処理を実行させ、その後に従業員による手作業で遊技客に受け渡す。また、遊技客が特殊景品への交換を希望する場合には、従業員はこの景品管理装置７０に設けられた特殊景品交換ボタンを押下し、交換玉数管理テーブルを参照して貸出レートごとの獲得玉数に応じた特殊景品の払い出しを景品払出機７５に指示する。なお、計数レシートを用いた景品交換だけではなく、会員カード又は携帯電話機１００を通じて貯玉を用いた景品交換を行うこともできる。
【００３８】
また、景品管理装置７０は、計数レシートに印刷されたバーコードからパチンコ玉数及び貸出レートを読み取って景品交換時に利用するだけではなく、計数レシートを用いた貯玉、いわゆるレシート貯玉を行うこともできる。具体的には、この景品管理装置７０に設けられたバーコードリーダで計数レシートを読み取るとともに、カードリーダに会員カードを挿入するか、或いはリーダライタに携帯電話機１００を近接する操作を行って貯玉ボタンを押下すると、会員ＩＤ（又はＩＤｍ）、パチンコ玉数、貸出レート（玉１又は玉２の種別）が含まれる貯玉依頼信号が会員管理Ｔ／Ｃ１０に対して送信される。
【００３９】
自販機子機８０は、パチンコ玉（貸し玉又は獲得玉）とタバコ又は飲料との交換制御を行う端末であり、遊技客が交換を希望する銘柄のタバコ又は飲料と等価な玉数のパチンコ玉を徴収して当該銘柄のタバコ又は飲料をタバコ交換機９０又は飲料交換機９５に投出させる。具体的には、遊技客によってパチンコ玉が投入されると、投入玉数が交換玉数を超える銘柄のタバコ又は飲料を交換景品として選択できるように後述するタバコ交換機９０のディスプレイ部９０１又は飲料交換機９５のディスプレイ部９５１の選択ボタンを点灯させ、この選択ボタンを通じてタバコ又は飲料の銘柄選択を受け付けると、投入玉を所定の貯留部に格納（徴収）して当該銘柄のタバコ又は飲料の投出をタバコ交換機９０又は飲料交換機９５に許可する。なお、この自販機子機８０は、特許請求の範囲における「景品交換機」に相当する。
【００４０】
ここで、本実施例１では、ＣＲユニット３０又は会員カード処理機６０等の店内機器が、遊技客が所持する携帯電話機１００に景品と交換可能な価値を関連付けておき、自販機子機８０が、携帯電話機１００に関連付けられた価値と景品との交換制御を行うように景品交換システムを構成した点にその特徴がある。
【００４１】
従来の自販機子機においては、遊技媒体を用いた景品交換、すなわち現物交換による景品交換サービスが提供されているが、遊技店にて低貸出レートの遊技コーナーが導入された場合には、低貸出レートのパチンコ玉を用いて景品交換を行おうとしても玉単価が低いことが原因となって交換に必要なパチンコ玉数（交換玉数）も多くなってしまうため、自販機子機に投入される投入玉数が受入れ許容量を超えてしまい、交換自体が行えないという問題がある。
【００４２】
これを解消するために、たとえ現行の自販機子機に比べて受入れ容量を大きく改良したとしても、さらに貸出レートが下がれば交換時に投入される玉数も増加し、また、高価な景品を交換する場合には元から多い交換玉数がさらに多くなってしまうため、根本的に問題を解消しえず、また、投入玉の増加に伴う遊技客の手間や大型化に伴う店内スペースの圧迫等の観点からも、受入れ容量を大きくするのは現実的な方策とは言えない。
【００４３】
そこで、本実施例１では、ＣＲユニット３０又は会員カード処理機６０にて景品交換に先立って遊技客から交換対価を徴収するとともに、その交換対価と等価な景品と交換可能な価値を携帯電話機１００に関連付けておき、自販機子機８０にてその携帯電話機１００に関連付けられた価値と景品との交換制御を行うことで、電子チケット（以下で述べる「交換チケット」）を用いた景品交換を行うことができるようにしている。
【００４４】
これを図２を用いて具体的に説明する。本実施例１では、遊技客が景品交換を希望する際に交換チケットを予め購入しておく必要があるが、ここではこの交換チケットの購入対価としてパチンコ玉を徴収して携帯電話機１００に交換チケットを関連付ける形態を詳述することとする。
【００４５】
図２に示すように、交換チケットの購入対価としてパチンコ玉を投入させてその投入玉が計数機５０で計数されると、会員カード処理機６０は、計数機５０から投入玉の計数値を受信し（１）、計数値を受信した状態で希望景品の入力操作「タバコＡの指定」が行われると（２）、携帯電話機１００の近接操作（かざし操作）を促す報知、たとえば後述するかざし部６０２の点滅表示やタッチパネル６１におけるメッセージ表示を行い、遊技客が所持する携帯電話機１００を近接させる操作（かざし操作）を受け付ける。
【００４６】
そして、会員カード処理機６０は、携帯電話機１００のかざし操作を受け付けると、この携帯電話機１００内のＩＣチップ１１０に記憶されたＩＤｍ「５６７８ＸＹＺ」をリーダライタ６５を通じて読み取り（３）、計数機５０から受信した計数値から指定景品の交換玉数を徴収（減算）した後に（４）、ＩＤｍ「５６７８ＸＹＺ」及び指定景品「タバコＡ」を含む交換チケット登録依頼を会員管理Ｔ／Ｃ１０に行う（５）。なお、この登録依頼を受け付けた会員管理Ｔ／Ｃ１０では、かかるＩＤｍ「５６７８ＸＹＺ」及び指定景品「タバコＡ」が対応付けられて後述する交換チケット管理テーブル１４ｂに登録される。
【００４７】
この（１）〜（５）までの一連の処理が行われると、遊技客が交換を希望する景品があらかじめ指定された交換チケット（以下、「商品指定型交換チケット」と言う）が携帯電話機１００に関連付けられる。なお、本実施例１で言う「交換チケット」は、交換景品に対して等価であるとされる証票であり、図２の場合では指定景品との交換を保証するチケットである。
【００４８】
一方、自販機子機８０は、既存の自販機子機と同様に現物交換の待機状態にあるが、その一方で、上記した交換チケットを用いた景品交換を待機する状態にもあり、遊技客によって携帯電話機１００のかざし操作が行われると、この携帯電話機１００内のＩＣチップ１１０に記憶されたＩＤｍをリーダライタ８７を通じて読み取り（６）、該読み取ったＩＤｍ（例えば、「５６７８ＸＹＺ」）を用いて、当該携帯電話機１００を所持する遊技客が既登録の交換チケットを保有しているか否かを問い合わせる（７）。この問合せを受け付けた会員管理Ｔ／Ｃ１０は、交換チケット管理テーブル１４ｂ内のＩＤｍ「５６７８ＸＹＺ」に該当する交換チケット、この場合はＩＤｍ「５６７８ＸＹＺ」及び指定景品「タバコＡ」からなる商品指定型交換チケットを自販機子機８０に返信する。
【００４９】
続いて、自販機子機８０は、会員管理Ｔ／Ｃ１０によって商品指定型交換チケットの保有が返信されると、当該商品指定型交換チケットの消込み依頼を会員管理Ｔ／Ｃ１０に行う（８）。この消込み依頼を受け付けた会員管理Ｔ／Ｃ１０では、この商品指定型交換チケットＩＤｍ「５６７８ＸＹＺ」及び指定景品「タバコＡ」が交換チケット管理テーブル１４ｂから削除される。
【００５０】
その後、自販機子機８０は、会員管理Ｔ／Ｃ１０から交換チケットの消込み完了応答が返信されると、指定景品「タバコＡ」の投出をタバコ交換機９０に許可し（９）、タバコ交換機９０に「タバコＡ」を投出させる（１０）。なお、ここでは、交換対価である交換チケットを消込み（回収）してから指定景品を投出制御する交換制御を説明したが、必ずしも交換チケットの消込みを先に行う必要はなく、指定景品の投出制御を行ってから交換チケットの消込みを行うようにしてもかまわない。
【００５１】
したがって、本実施例１では、ＣＲユニット３０又は会員カード処理機６０等の店内機器に景品と交換可能な価値を携帯電話機１００に関連付けさせておき、自販機子機８０に携帯電話機１００に関連付けられた価値と景品との交換制御を行わせることで、自販機子機で電子データを交換対価として使用させることができる結果、低レートコーナーを設けた場合でも会員／非会員を問わず自販機子機を利用させることができ、遊技客の景品交換サービスに係る利便性を向上させることが可能になる。
【００５２】
続いて、本実施例１に係る景品交換システムを構成する各装置（会員管理Ｔ／Ｃ１０、ＣＲユニット３０、会員カード処理機６０及び自販機子機８０）の構成を説明する。なお、ここでは、会員管理Ｔ／Ｃ１０、ＣＲユニット３０、会員カード処理機６０、自販機子機８０の順に装置構成を説明する。
【００５３】
［会員管理Ｔ／Ｃの構成］
前述したように、まずここでは、図１に示した会員管理Ｔ／Ｃ１０の構成について説明する。図３は、図１に示した会員管理Ｔ／Ｃ１０の構成を示す機能ブロック図である。同図に示すように、この会員管理Ｔ／Ｃ１０は、入力部１１と、出力部１２と、ＩＦ部１３と、記憶部１４と、制御部１５とを有する。
【００５４】
入力部１１は、キーボードやマウス等の入力デバイスであり、出力部１２は、液晶パネルやディスプレイ等の表示デバイスであり、また、ＩＦ部１３は、島コントローラ２０、ＣＲユニット３０ａ及び３０ｂ、会員カード処理機６０、並びに、自販機子機８０等の装置との間でデータ通信を行うためのインターフェースである。
【００５５】
記憶部１４は、ハードディスク装置や不揮発性メモリ等の記憶デバイスであり、遊技店に会員登録した会員の貯玉残高を管理する貯玉管理テーブル１４ａと、遊技客が所持する携帯電話機１００に関連付けられる交換チケットを管理する交換チケット管理テーブル１４ｂとを記憶する。
【００５６】
貯玉管理テーブル１４ａは、会員ＩＤごとに４円口座の残高及び１円口座の残高を記憶したテーブルである。ここで、会員カードだけを所持するカード会員については、会員ＩＤに対応付けて口座残高を記憶しており、携帯電話機１００だけを所持する携帯会員については、携帯電話機１００のＩＤｍに対応付けて口座残高を記憶しており、また、会員カード及び携帯電話機１００の双方を所持している会員については、会員ＩＤ及びＩＤｍの両方に口座残高を対応付けて記憶している。なお、本実施例１では、玉１及び玉２のダブルレートに対応する４円口座の残高及び１円口座の残高を管理する例を説明しているが、本発明はこれに限定されるものではなく、任意の貸出レート（例えば、２円／玉）、或いは３つ以上の貸出レートに対応した貯玉口座を管理することができる。
【００５７】
交換チケット管理テーブル１４ｂは、遊技客によって所持される携帯電話機１００のＩＤｍごとに交換チケットの種別及び購入内容を記憶したテーブルである。ここで、交換チケットの種別には、前述した商品指定型の交換チケットの他、後述するように、交換を希望する景品の金額を指定した金額指定型の交換チケットが存在し、これら両者を区別するために、金額指定型交換チケットを「１」、商品指定型交換チケットを「２」として区別している。
【００５８】
図４に示す交換チケット管理テーブル１４ｂでは、ＩＤｍ「１２３４ＡＢＣ」の携帯電話機を所持する遊技客が「３００円」と等価な景品との交換が保証された金額指定型交換チケットを保有しており、ＩＤｍ「５６７８ＸＹＺ」の携帯電話機を所持する遊技客が「１２０円」と等価な景品との交換が保証された金額指定型交換チケットと、「タバコＡ」との交換が保証された指定された商品指定型交換チケットとの２つの交換チケットを保有していることを表している。
【００５９】
制御部１５は、会員管理Ｔ／Ｃ１０を全体制御する制御部であり、貯玉管理部１５ａと、交換チケット管理部１５ｂとを有する。実際には、これらの機能部に対応するプログラムを図示しないＲＯＭや不揮発性メモリに記憶しておき、これらのプログラムをＣＰＵにロードして実行し、貯玉管理部１５ａ及び交換チケット管理部１５ｂにそれぞれ対応するプロセスを実行させることになる。
【００６０】
貯玉管理部１５ａは、貯玉管理テーブル１４ａを利用して会員の貯玉残高を管理する管理部である。具体的には、ＣＲユニット３０又は会員カード処理機６０から会員ＩＤ又はＩＤｍを含む貯玉更新依頼を受け付けた場合に、貯玉管理テーブル１４ａに記憶される該当会員ＩＤ又は該当ＩＤｍの貯玉残高に対して更新依頼玉数分の加算処理または減算処理を行う。なお、当然のことながら、貯玉減算処理を行う際に貯玉残高が足りない場合には、依頼元の機器にエラー信号が返信される。
【００６１】
交換チケット管理部１５ｂは、交換チケット管理テーブル１４ｂを利用して遊技客の交換チケットを管理する管理部である。具体的には、ＣＲユニット３０又は会員カード処理機６０からＩＤｍ及び指定金額（又は指定景品）を含む交換チケット登録依頼を受け付けた場合には、交換チケットに係る情報として、当該ＩＤｍ、交換チケット種別（金額指定：１、商品指定：２）及び購入内容（指定金額又は指定景品）を交換チケット管理テーブル１４ｂに登録する。また、自販機子機８０から金額指定型交換チケットの減算依頼を受け付けた場合には、ＩＤｍとともに自販機子機８０での選択景品の交換価格が通知されるので、交換チケット管理テーブル１４ｂに記憶される該当ＩＤｍの残金額が選択景品の交換価格以上存在すれば、その残金額から交換価格を減算する減算処理を行って減算完了応答を自販機子機８０に返信する。一方、自販機子機８０から商品指定型交換チケットの消込み依頼を受け付けた場合には、ＩＤｍとともに指定景品が通知されるので、これらＩＤｍ及び指定景品に該当する交換チケット管理テーブル１４ｂ内のレコードを削除する。
【００６２】
［ＣＲユニットの構成］
次に、図１に示したＣＲユニット３０の構成を説明する。なお、ここでは、この実施例１に係るＣＲユニット３０の（１）外観構成を説明した後に、このＣＲユニット３０の（２）内部構成を説明する。なお、ここでは、ＣＲユニットに付した符号のうち英文字「ａ」及び「ｂ」はその機器が所属する貸出レートを指しているが、貸出レートに係る差異がない説明を行う場合には、かかる英文字を省略し、単に、ＣＲユニット３０、パチンコ機４０と記載して説明を行う。
【００６３】
（１）外観構成
図５は、図１に示したＣＲユニット３０の外観を示した正面図である。同図に示すように、このＣＲユニット３０は、縦長の直方体型の筐体として構成したもので、その本体部前面の上寄りには、下方に向かって順に、状態表示ランプ３０１、カード状態表示ＬＥＤ３０２、リモコン受光部３１０、入金可能表示ＬＥＤ３０３が付設されている。
【００６４】
状態表示ランプ３０１は、当該ＣＲユニット３０が運用可能であるか否かを点灯色の切換えによって表すランプであり、例えば、「緑点灯」により運用可能な旨を表し、「赤点灯」により運用不能な旨を表す。
【００６５】
カード状態表示ＬＥＤ３０２は、当該ＣＲユニット３０に内蔵されるプリペイドカードの補充又は回収の要否を点灯／点滅によって表すＬＥＤであり、例えば、「点灯」によりプリペイドカードの補充が必要な旨を表し、「点滅」によりプリペイドカードの回収が必要な旨を表し、また、「消灯」によりプリペイドカードの補充及び回収が不要な旨を表す。
【００６６】
リモコン受光部３１０は、図示しない専用のリモコンから照射される赤外線を受光する受光素子から構成され、リモコンから照射される赤外線を通じてＣＲユニット３０に対する各種操作（例えば、プリペイドカードの補充操作及び回収操作など）を受け付ける。
【００６７】
入金可能表示ＬＥＤ３０３は、当該ＣＲユニット３０に紙幣の入金が可能であるか否かを点灯／点滅によって表すＬＥＤであり、例えば、「点灯」により紙幣の入金が可能である旨を表し、また、「点滅」により紙幣の入金が不可能な旨を表す。
【００６８】
また、本体部前面の中央部には、高額紙幣（例えば、「一万円」、「五千円」や「二千円」など）を含む紙幣を挿入する紙幣挿入口３０８、プリペイドカードや会員カードなどの各種カードを挿入するカード挿入口３０９が設けられている。
【００６９】
さらに、本体部前面の下寄りには、下方に向かって順に、７ＳＥＧ表示部３０４、モード表示部３０５、各種ボタン群（先頭同列に情報ボタン及び交換チケット購入ボタン３１１、末尾同列に貸出ボタン３０６及び返却ボタン３０７）及びかざし部３１２が設けられている。
【００７０】
７ＳＥＧ表示部３０４は、７セグメントのＬＥＤから形成される表示部であり、当該ＣＲユニット３０のランニング表示を行うものである。例えば、情報ボタンの押下操作に応答して挿入紙幣の金額、プリペイドカードの残度数、貯玉数、再プレイ回数やポイントを切替表示したり、或いは、専用のリモコンによってプリペイドカードの補充操作又は回収操作が行われている場合には、補充すべき枚数又は回収すべき枚数を表示したりする。
【００７１】
モード表示部３０５は、７ＳＥＧ表示部３０４にてどのモードの情報が表示されているかを表示するものである。例えば、「残度数」、「貯玉数」、「再プレイ回数」または「ポイント」のうちいずれの情報を７ＳＥＧ表示部３０４に表示しているのかを該当ランプを点灯させることで表す。
【００７２】
交換チケット購入ボタン３１１は、交換チケットの購入手続きを開始するための操作ボタンであり、この交換チケット購入ボタンが押下されると、金額指定型交換チケットの購入処理が開始される。貸出ボタン３０６は、遊技客による玉貸し要求を受け付ける操作ボタンであり、この貸出ボタン３０６が押下されると制御部３８にて「玉貸し処理」が行われる。また、返却ボタン３０７は、遊技客によるプリペイドカードの返却要求を受け付ける操作ボタンであり、この返却ボタン３０７が押下されると挿入中のプリペイドカードがカード挿入口３０９から返却される。
【００７３】
かざし部３１２は、遊技客が所持するＩＣ記録媒体を近接させる部位であり、その背面にリーダライタ３６を擁している。また、このかざし部３１２は、遊技客の携帯電話機１００のかざし操作を呼びかける表示を行うかざし喚起ＬＥＤが内蔵されている。
【００７４】
（２）内部構成
続いて、図６を用いて、図５に示したＣＲユニット３０の内部構成について説明する。図６は、図５に示したＣＲユニット３０の内部構成を示すブロック図である。図６に示すように、このＣＲユニット３０は、表示部３１と、入力部３２と、通信Ｉ／Ｆ部３３と、ＢＶユニット部３４と、カードリーダ（Ｃ／Ｒ）３５ａと、カード収納部３５ｂと、搬送／繰出機構部３５ｃと、リーダライタ３６と、記憶部３７と、制御部３８とを備える。
【００７５】
表示部３１は、図５に示した状態表示ランプ３０１、カード状態表示ＬＥＤ３０２、入金可能ＬＥＤ３０３、７ＳＥＧ表示部３０４、モード表示部３０５及びかざし部３１２などの総称であり、また、入力部３２は、各種ボタン群、貸出ボタン３０６、返却ボタン３０７及び交換チケット購入ボタン３１１などの総称である。
【００７６】
通信Ｉ／Ｆ部３３は、当該ＣＲユニット３０と他の装置（例えば、会員管理Ｔ／Ｃ１０、島コントローラ２０およびパチンコ機４０などの装置）の間で各種通信の制御を行う処理部である。
【００７７】
ＢＶユニット部３４は、紙幣挿入口３０８に挿入された紙幣の金種を識別する紙幣識別機であり、識別した挿入紙幣の金種を制御部３８に出力する。なお、挿入紙幣が偽造紙幣である場合には、当該紙幣を返却する。
【００７８】
Ｃ／Ｒ３５ａは、カード挿入口３０９に挿入されたプリペイドカードや会員カードなどの各種カードに記録された情報を読み込むカードリーダであり、具体的には、これら各種カードからプリペイドカードの識別情報や会員カードの識別情報を読み込み、該読み込んだ情報を制御部３８に出力する。
【００７９】
カード収納部３５ｂは、残度数が価値付けられていないプリペイドカードを収納する収納部であり、遊技客がプリペイドカードを持参していなくとも現金により遊技可能にするため、事前に複数枚のプリペイドカードを収納したものである。例えば、遊技客によって紙幣が挿入されると、複数枚のプリペイドカードうちの一枚がＣ／Ｒ３５ａの位置に繰り出され、現金による度数関連付けの対象とされる。
【００８０】
搬送／繰出機構部３５ｃは、各種カードの搬送／繰出を行う機構部である。具体的には、カード挿入口３０９から挿入されたプリペイドカードをＣ／Ｒ３５ａに搬送したり、Ｃ／Ｒ３５ａ内に保持されたプリペイドカードをカード収納部３５ｂに搬送したり、また、カード収納部３５ｂに収納された内蔵プリペイドカードをＣ／Ｒ３５ａに繰り出したり、Ｃ／Ｒ３５ａに保持されたプリペイドカードをカード挿入口３０９に繰り出したりする。
【００８１】
リーダライタ３６は、携帯電話機１００に内蔵されたＩＣチップ１１０との間でデータ通信を行う装置であり、具体的には、携帯電話機１００内のＩＣチップ１１０に組み込まれたアンテナコイルに弱電波を送信すると、ＩＣチップ１１０ではアンテナコイルにより発電が行われてデータ通信が可能となり、これによりＩＤｍを取得する。
【００８２】
記憶部３７は、制御部３８による各種処理に必要なデータ（例えば、プリペイド残高や貸出単位金額など）およびプログラムを格納する格納手段（記憶手段）である。
【００８３】
制御部３８は、ＣＲユニット３０の全体制御を司る制御部であり、特に本発明に密接に関連するものとしては、プリペイド更新依頼部３８ａと、交換チケット購入処理部３８ｂとを備える。なお、既存のＣＲユニットが有する玉貸し処理や再プレイ処理にはその特徴はないため、以下では玉貸し処理や再プレイ処理の説明は省略する。
【００８４】
プリペイド更新依頼部３８ａは、当該ＣＲユニット３０にて利用されるプリペイドカードの情報を管理する処理部である。具体的には、会員管理Ｔ／Ｃ１０と協働して、カード収納部３５ｂに内蔵されるプリペイドカードに挿入紙幣の金額を価値付けたり、パチンコ玉の貸出対価又は交換チケットの購入対価として挿入中のプリペイドカードから所定数の度数（例えば、１回の貸出操作で貸し出される度数を「１０度数」とする）を減算徴収したり、また、カード挿入口３０９を介してプリペイドカードを受け入れた場合には、Ｃ／Ｒ３５ａを通じて読み取ったプリペイドカードＩＤに対応する残度数を問合せて取得したりもする。
【００８５】
交換チケット購入処理部３８ｂは、金額指定型交換チケットに係る購入処理を実行する処理部である。具体的には、交換チケット購入ボタン３１１の押下操作を受け付けた場合に、テンキーボタンの入力操作を通じて購入する交換チケットの金額指定をさらに受け付け、現在挿入されているプリペイド残高が指定金額以上存在するならば、かざし部３１２のかざし喚起ＬＥＤを点灯させることにより携帯電話機１００のかざし操作を促す報知を行い、携帯電話機１００内のＩＣチップ１１０に記憶されたＩＤｍをリーダライタ３６に読み取らせ、プリペイド更新依頼部３８ａに交換チケットの購入対価（指定金額）を減算させてから、これらＩＤｍ及び指定金額を含む交換チケット登録依頼を会員管理Ｔ／Ｃ１０に行い、その後、会員管理Ｔ／Ｃ１０から登録完了通知を受信したならば、７ＳＥＧ表示部３０４を用いて交換チケットの購入完了報知を行う。なお、この交換チケット購入処理部３８ｂは、特許請求の範囲における「関連付け手段」にて開示する機能（携帯電話機１００に金額指定型交換チケットを関連付ける機能）を含んでいる。
【００８６】
なお、本実施例１では、ＣＲユニットに簡易な表示デバイス及び入力デバイスしか設けていないため、ＣＲユニット３０において金額指定型交換チケットのみを購入させることとしたが、商品指定型交換チケットをさらに購入させるようにしてもよいし、また、商品指定型交換チケットだけを購入させるようにしてもかまわない。
【００８７】
［会員カード処理機の構成］
次に、図１に示した会員カード処理機６０の構成を説明する。なお、ここでは、この実施例１に係る会員カード処理機６０の（１）外観構成を説明した後に、この会員カード処理機６０の（２）内部構成を説明する。
【００８８】
（１）外観構成
図７は、図１に示した会員カード処理機６０の外観を示した斜視図である。同図に示すように、この会員カード処理機６０は、上面奥側から順に、計数レシートを排出するレシート排出口６０１、タッチパネル６１、かざし部６０２を有し、また、正面中央部には、会員カードを挿入するカード挿入口６０３を有する。
【００８９】
このかざし部６０２は、ＣＲユニット３０のかざし部３１２と同様に、遊技客が所持するＩＣ記録媒体を近接させる部位であり、その背面にリーダライタ３６を擁している。また、このかざし部６０２は、遊技客の携帯電話機１００のかざし操作を呼びかける表示を行うかざし喚起ＬＥＤが内蔵されている。
【００９０】
（２）内部構成
続いて、図８を用いて、図７に示した会員カード処理機６０の内部構成について説明する。図８は、図７に示した会員カード処理機６０の構成を示す機能ブロック図である。
【００９１】
同図に示すように、この会員カード処理機６０は、会員が所持する会員カード又は携帯電話機１００を通じて貯玉サービスを提供したり、また、会員及び非会員を含めた遊技客に対してその遊技客が所持する携帯電話機１００を通じて交換チケット購入サービスを提供したりするマンマシンインターフェースであり、タッチパネル６１と、通信Ｉ／Ｆ部６２と、カードリーダ６３と、プリンタ６４と、リーダライタ６５と、記憶部６６と、制御部６７とを有する。
【００９２】
タッチパネル６１は、液晶パネルやディスプレイなどの表示デバイス上で操作入力を受け付けることができる表示可能かつ入力可能なデバイスであり、例えば、後述する表示制御部６７ｂの指示に基づき、交換チケットの購入手続きに必要な情報（例えば、獲得玉数（計数値）、指定景品のカテゴリ、指定景品の商品名及び交換玉数、携帯電話機１００のかざし操作の喚起など）を表示するとともに、交換チケットの購入に必要な操作（交換チケットの購入意思や指定景品のカテゴリの選択等）を受け付ける（図１６参照）。
【００９３】
通信Ｉ／Ｆ部６２は、会員管理Ｔ／Ｃ１０又は計数機５０との間で各種通信を行うためのインターフェースである。カードリーダ６３は、会員カードに記録された会員ＩＤを読み取るためのカードリーダである。
【００９４】
プリンタ６４は、印字データを計数レシートに印字処理する印字装置であり、レシート発行制御部６７ｃによる発行制御に基づき、計数レシートを印字発行する。かかる計数レシートには、遊技店の名称、発行日時、計数機番号及び計数値（獲得玉数）が文字として印字されるとともに、計数値、発行日時及び計数機番号を含む計数情報が関連付けられたバーコードが印字される。なお、かかるバーコード印字される情報は、計数情報そのものであってもよいし、計数情報と一対一に対応付けられた計数ＩＤであってもかまわない。
【００９５】
リーダライタ６５は、携帯電話機１００に内蔵されたＩＣチップ１１０との間でデータ通信を行う装置であり、具体的には、携帯電話機１００内のＩＣチップ１１０に組み込まれたアンテナコイルに弱電波を送信すると、ＩＣチップ１１０ではアンテナコイルにより発電が行われてデータ通信が可能となり、これによりＩＤｍを取得する。また、本実施例１では、計数前に従業員認証を行っており、従業員が所持する従業員カード（ＩＣカード）からも従業員ＩＤを読み取る。
【００９６】
記憶部６６は、制御部６７による各種処理に必要なデータおよびプログラムを記憶する不揮発性メモリ等の記憶デバイスであり、計数前に従業員カードに記憶された従業員ＩＤと照合するための登録従業員ＩＤ群からなる従業員ＩＤデータ６６ａと、計数レシートに印字する印字フォーマットや印字内容からなる印字データ６６ｂと、タッチパネル６１に表示させる画面データ６６ｃと、各景品と景品を交換するのに必要な交換玉数とを記憶した交換玉数データ６６ｄとを記憶する。
【００９７】
この交換玉数データ６６ｄは、図９に示すように、商品（景品）のカテゴリ及び商品名ごとに各貸出レートの交換玉数を記憶したファイルである。本実施例１では、玉１が４円／玉、玉２が１円／玉であり、玉２の玉単価は玉１の４分の１であるため、玉２の各景品の交換玉数は玉１の各景品の交換玉数の４倍の玉数が設定されている。
【００９８】
図９に示す例では、玉１の商品カテゴリ「タバコ」においては、タバコＡを７５個で交換し、タバコＢを７０個で交換し、タバコＣを８０個で交換し、玉１の商品カテゴリ「飲料」においては、飲料Ａを３０個で交換し、飲料Ｂを２５玉で交換するように定められており、一方、玉２の商品カテゴリ「タバコ」においては、タバコＡを３００個で交換し、タバコＢを２８０個で交換し、タバコＣを３２０個で交換し、玉２の商品カテゴリ「飲料」においては、飲料Ａを１２０個で交換し、飲料Ｂを１００玉で交換するように定められている。
【００９９】
制御部６７は、会員カード処理機６０の全体制御を行う制御部であり、計数制御部６７ａ、表示制御部６７ｂ、レシート発行制御部６７ｃ及び交換チケット購入処理部６７ｄを有する。
【０１００】
計数制御部６７ａは、計数機５０によって行われる計数に係る処理を制御する処理部である。具体的には、リーダライタ６５によって従業員カードから読み取った従業員ＩＤと、記憶部６６によって従業員ＩＤデータ６６ａとして記憶された登録従業員ＩＤ群とを照合する従業員認証を行い、その結果、登録従業員ＩＤの中に一致するものが存在する場合に、タッチパネル６１を通じて投入玉の貸出レートの指定を受け付けてから、計数機５０に投入口を遮蔽するシャッタを開放するとともに、計数を開始するように指示し、その後に計数機５０から計数信号が出力されるので、所定期間（例えば、３秒）についてかかる計数信号が検出されなくなるまでカウントアップを継続することで獲得玉の計数を行う。
【０１０１】
表示制御部６７ｂは、記憶部６６によって記憶された画面データ６６ｃをもとに、タッチパネル６１の表示制御を行う処理部であり、例えば、計数終了画面、商品カテゴリ選択画面、指定景品決定画面及びかざし操作喚起画面等の各種画面をタッチパネル６１に表示させる。
【０１０２】
より具体的には、図１６に示すように、計数終了時点で獲得玉数（計数値）とともにレシート発行ボタン及び交換チケットの購入ボタンを含む計数終了画面を表示させて、計数レシートの発行要求又は交換チケットの購入要求のいずれかを受け付け、この時、交換チケットの購入ボタンが押下されると、指定する商品のカテゴリを選択させる商品カテゴリ選択画面を表示させて、指定を希望する商品のカテゴリの選択を受け付け、そして、商品のカテゴリの選択を受け付けると、選択を受け付けたカテゴリに該当する商品名及びその商品の交換玉数とともに各商品ごとの購入ボタン及び交換チケット購入のキャンセルボタンを含む指定景品決定画面を表示させて、交換チケットで交換を保証する景品の指定を受け付けた後に、携帯電話機１００のかざし操作を呼びかけるかざし操作喚起画面を表示させる。
【０１０３】
レシート発行制御部６７ｃは、計数レシートの発行制御を行う処理部である。具体的には、タッチパネル６１上に表示されたレシート発行ボタンが押下操作された場合に、記憶部６６に記憶された印字データ６６ｂをもとに、遊技店の名称、発行日時、計数機番号及び計数値（獲得玉数）の文字情報を印字するとともに、計数値、発行日時及び計数機番号を含む計数情報をバーコード印字するようにプリンタ６４を制御する。
【０１０４】
交換チケット購入処理部６７ｄは、商品指定型交換チケットに係る購入処理を実行する処理部である。具体的には、タッチパネル６１に表示された指定景品決定画面上で指定景品が受け付けられた後にかざし操作喚起画面が表示され、このかざし操作喚起画面が表示されてから所定期間内に携帯電話機１００がかざし部６０２にかざされると、リーダライタ６５を通じて当該携帯電話機１００のＩＤｍが取得されるので、交換玉数データ６６ｄを参照して獲得玉数（計数値）から当該指定景品の交換玉数を減算してから、これらＩＤｍ及び指定景品を含む交換チケット登録依頼を会員管理Ｔ／Ｃ１０に行う。なお、この登録依頼を受け付けた会員管理Ｔ／Ｃ１０では、かかるＩＤｍ及び指定景品を対応付けて交換チケット管理テーブル１４ｂに登録し、登録後に登録完了通知を交換チケット購入処理部６７ｄに返信する。なお、この交換チケット購入処理部６７ｄは、特許請求の範囲における「関連付け手段」にて開示する機能（携帯電話機１００に商品指定型交換チケットを関連付ける機能）を含んでいる。
【０１０５】
なお、本実施例１では、会員カード処理機６０において商品指定型交換チケットのみを購入させることとしたが、金額指定型交換チケットをさらに購入させるようにしてもよいし、また、金額指定型交換チケットだけを購入させるようにしてもかまわない。
【０１０６】
［自販機子機の構成］
次に、図１に示した自販機子機８０の構成を説明する。なお、ここでは、この実施例１に係る自販機子機８０、タバコ交換機９０及び飲料交換機９５の（１）外観構成を説明した後に、この自販機子機８０の（２）内部構成を説明する。
【０１０７】
（１）外観構成
図１０は、図１に示した自販機子機８０、タバコ交換機９０及び飲料交換機９５の外観を示す図である。同図に示すように、自販機子機８０は、縦長の直方体型の筐体として構成したものであり、その本体部前面の上寄りから下方に向かって順に、投入玉の個数表示や交換チケットの購入内容の表示等を行うタッチパネル８２、交換取引の中止もしくは会員カードの返却を受け付ける交換中止（カード返却）ボタン８１０、交換取引を行う交換機を選択する交換機選択ボタン８１１、携帯電話機１００のかざし操作を受け付ける部位であり、その背面にリーダライタ８７を擁するかざし部８７０、会員カードの挿入を受け付けるカード挿入口８３０、投入玉を受け入れる投入玉受入部８５ａ及び投入玉を返却する投入玉返却部８５ｂを有する。
【０１０８】
パチンコ玉のタバコ交換又は飲料交換を希望する遊技客は、交換チケットが関連付けられた携帯電話機１００をかざし部８７０にかざし操作するか、保有するパチンコ玉を投入玉受入部８５ａに投入するか、或いは会員カードをカード挿入口８３０を介して挿入するかによって景品の交換対価を自販機子機８０に受け渡す。
【０１０９】
このとき、自販機子機８０において、携帯電話機１００に関連付けられた金額指定型交換チケット、会員カードに関連付けられた貯玉残高或いは投入玉が受け付けられ、さらに、交換機選択ボタン８１１を通じてタバコ交換または飲料交換のいずれを行うのかが受け付けられると、タバコ交換機９０のディスプレイ部９０１又は飲料交換機９５のディスプレイ部９５１において、現存する交換チケットの購入金額、投入玉数または貯玉残高が交換玉数（もしくは交換価格）以上である銘柄のタバコ又は飲料についてはその選択ボタンが点灯され、タバコ交換又は飲料交換が許可される一方で、購入金額、投入玉数または貯玉残高が不足する銘柄のタバコ及び飲料についてはその選択ボタンが消灯されたままであり、タバコ交換及び飲料交換は許可されない。この段階で交換中止ボタン８１０が押下操作されると、交換取引は中止され、パチンコ玉の現物投入が行われている場合には、投入玉返却部８５ｂから投入玉が返却され、また、会員カードの挿入が行われている場合には、カード挿入口８３０から会員カードが返却される。
【０１１０】
また、自販機子機８０において、携帯電話機１００に関連付けられた商品指定型交換チケットを受け付けた場合には、景品の選択を行う必要はなく、当該交換チケットの指定景品の投出が自動的に行われるので、タバコ交換機９０のディスプレイ部９０１又は飲料交換機９５のディスプレイ部９５１において投出対象の景品が指定景品である旨を明示するために指定景品の選択ボタンだけ点灯される。
【０１１１】
そして、タバコ交換又は飲料交換が許可されると、遊技客は、ディスプレイ部９０１又は９５１の希望銘柄の選択ボタンを押下し、タバコ投出部９０２へ投出されるタバコもしくは飲料投出部９５２へ投出される飲料を手に入れることができる。なお、この時、投入玉数が交換タバコの交換玉数を上回る場合には、投入玉返却部８５ｂから投入玉が返却される。また、会員カードが挿入されている場合には、カード挿入口８３０から会員カードが返却される。
【０１１２】
（２）内部構成
次に、図１０に示した自販機子機８０の内部構成を説明する。図１１は、図１０に示した自販機子機８０の構成を示す機能ブロック図である。同図に示すように、操作部８１と、タッチパネル８２と、カード処理部８３と、通信Ｉ／Ｆ部８４と、投入玉受入部８５ａと、投入玉返却部８５ｂと、計数部８６ａと、一時貯留部８６ｂと、貯留部８６ｃと、リーダライタ８７と、記憶部８８と、制御部８９とを有する。なお、ここでは、現物投入でタバコ交換を行う場合には玉１のパチコン玉の使用だけを認めることとする。
【０１１３】
操作部８１は、図１０に示した交換中止ボタン８１０や交換機選択ボタン８１１等の操作ボタンの総称である。また、タッチパネル８２は、液晶パネルやディスプレイなどの表示デバイス上で操作入力を受け付けることができる表示可能かつ入力可能なデバイスであり、交換チケットの購入内容、投入玉の個数表示や貯玉残高等の表示を行うとともに、複数の交換チケットのうちいずれの交換チケットを使用するかを選択する操作や複数の貯玉口座のうちいずれの貯玉口座を使用するかを選択する操作を受け付ける。
【０１１４】
カード処理部８３は、カード挿入口８３０から挿入された各種カードからデータの読み取り等を行う制御ユニットであり、例えば、遊技客（会員）が保有する会員カードを受け入れて会員ＩＤを読み取り、該読み取った会員ＩＤを制御部８８に出力する。
【０１１５】
通信Ｉ／Ｆ部８４は、当該自販機子機８０と他の装置（例えば、会員管理Ｔ／Ｃ１０、景品管理装置７０、タバコ交換機９０及び飲料交換機９５などの他の装置）との間で各種通信を行うためのインターフェースである。
【０１１６】
投入玉受入部８５ａは、パチンコ玉を保持可能な受け皿などによって構成され、遊技客によって投入されるパチンコ玉を受け入れて計数部８６ａへ送出する。また、投入玉返却部８５ｂは、投入玉受入部８５ａと同様に、パチンコ玉を保持可能な受け皿などによって構成されるが、返却される投入玉を保持する点において用途が相違する。
【０１１７】
計数部８６ａは、投入玉受入部８５ａから送出されるパチンコ玉を計数する処理部であり、その投入玉数を交換制御部８９ａに出力する。一時貯留部８６ｂは、計数部８６ａによって計数された後の投入玉を交換制御部８９ａによってタバコ交換又は飲料交換が許可されるまで一時的に貯留しておく貯留部である。また、貯留部８６ｃは、一時貯留部８６ｂによって一時的に貯留されている投入玉を貯留する貯留部であり、具体的には、交換制御部８９ａによってタバコ交換又は飲料交換が許可されると、一時貯留部８６ｂから投入玉が送出されるのでその投入玉が交換対価として格納される。
【０１１８】
リーダライタ８７は、携帯電話機１００に内蔵されたＩＣチップ１１０との間でデータ通信を行う装置であり、具体的には、携帯電話機１００内のＩＣチップ１１０に組み込まれたアンテナコイルに弱電波を送信すると、ＩＣチップ１１０ではアンテナコイルにより発電が行われてデータ通信が可能となり、これによりＩＤｍを取得する。
【０１１９】
記憶部８８は、制御部８９による各種処理に必要なデータおよびプログラムを記憶する不揮発性メモリ等の記憶デバイスであり、併せて、景品との交換に要する交換価値を管理する交換価値管理テーブル８８ａを記憶する。
【０１２０】
交換価値管理テーブル８８ａは、図１２に示すように、景品（商品）のカテゴリ及び景品名ごとに各貸出レートの交換玉数及び交換価格を記憶したテーブルである。本実施例１では、玉１が４円／玉、玉２が１円／玉であり、玉２の玉単価は玉１の４分の１であるため、玉２の各景品の交換玉数は玉１の各景品の交換玉数の４倍の玉数が設定されている。
【０１２１】
図１２に示す例では、玉１の商品カテゴリ「タバコ」においては、タバコＡを７５個で交換し、タバコＢを７０個で交換し、タバコＣを８０個で交換し、玉１の商品カテゴリ「飲料」においては、飲料Ａを３０個で交換し、飲料Ｂを２５玉で交換するように定められており、一方、玉２の商品カテゴリ「タバコ」においては、タバコＡを３００個で交換し、タバコＢを２８０個で交換し、タバコＣを３２０個で交換し、玉２の商品カテゴリ「飲料」においては、飲料Ａを１２０個で交換し、飲料Ｂを１００玉で交換するように定められている。また、商品カテゴリ「タバコ」においては、タバコＡの交換価格が３００円であり、タバコＢの交換価格が２８０円であり、タバコＣの交換価格が３２０円であり、商品カテゴリ「飲料」においては、飲料Ａの交換価格が１２０円であり、飲料Ｂの交換価格が１００円であることが定められている。
【０１２２】
制御部８９は、自販機子機８０を全体制御する制御部であり、交換制御部８９ａと、交換チケット使用依頼部８９ｂとを有する。実際には、これらの機能部に対応するプログラムを図示しないＲＯＭや不揮発性メモリに記憶しておき、これらのプログラムをＣＰＵにロードして実行し、交換制御部８９ａ及び交換チケット使用依頼部８９ｂにそれぞれ対応するプロセスを実行させることになる。
【０１２３】
交換制御部８９ａは、タバコ交換機９０又は飲料交換機９５に対するタバコ又は飲料の交換制御を行う処理部であり、具体的には、交換チケットを用いた景品交換、現物投入による景品交換（タバコ交換又は飲料交換）並びに貯玉を用いた景品交換を行う。
【０１２４】
ここで、交換チケットを用いて景品交換を行う場合には、使用する交換チケットが「金額指定型」又は「商品指定型」であるのかによって処理内容が異なる。このうち、商品指定型交換チケットを用いて景品交換を行う場合には、交換チケットに希望商品の銘柄が予め対応付けられているので、ディスプレイ部９０１又は９５１の選択ボタンでタバコ又は飲料の銘柄を選択させる必要はなく、後述する交換チケット使用依頼部８９ｂによる交換チケット消込みが完了すれば、タバコ交換機９０又は飲料交換機９５に対して投出許可を行って指定銘柄のタバコ又は飲料を投出させる。
【０１２５】
一方、金額指定型交換チケットを用いて景品交換を行う場合には、交換価値管理テーブル８８ａを参照して交換チケットの購入金額が交換価格以上であるタバコ又は飲料の銘柄だけ選択を受け付けるようにタバコ交換機９０又は飲料交換機９５に指示することで、ディスプレイ部９０１又は９５１にて当該銘柄のタバコ又は飲料に対応する選択ボタンだけ点灯させ、この選択ボタンの押下操作を通じて遊技客が希望するタバコ又は飲料の銘柄が指定されると、後述する交換チケット使用依頼部８９ｂによって交換チケットの購入残金額から指定銘柄の商品の交換価格を減算するように依頼された後に、会員管理Ｔ／Ｃ１０から購入残金額の減算完了応答を受信すると、タバコ交換機９０又は飲料交換機９５に対して投出許可を行って選択銘柄のタバコ又は飲料を投出させる。
【０１２６】
また、現物投入でタバコ交換又は飲料交換が行われる場合には、交換価値管理テーブル８８ａを参照して計数部８６ａによって計数された投入玉数が交換玉数（玉１のフィールド参照）以上であるタバコ又は飲料の銘柄だけ選択を受け付けるようにタバコ交換機９０又は飲料交換機９５に指示することで、ディスプレイ部９０１又は９５１にて当該銘柄のタバコ又は飲料に対応する選択ボタンだけ点灯させ、この選択ボタンの押下操作を通じて遊技客が希望するタバコ又は飲料の銘柄が指定されると、一時貯留部８６ｂで一時的に貯留されている投入玉から当該銘柄のタバコ又は飲料の交換玉数分のパチンコ玉を減算徴収し、タバコ交換機９０又は飲料交換機９５に対して投出許可を行って選択銘柄のタバコ又は飲料を投出させるとともに、余りの投入玉を投入玉返却部８５ｂから返却させる。
【０１２７】
また、貯玉を用いてタバコ交換又は飲料交換が行われる場合には、交換価値管理テーブル８８ａを参照して引落し対象とする貯玉口座の残高が交換玉数（引落し口座の貸出レートに対応する玉１または玉２いずれかのフィールド参照）以上であるタバコ又は飲料の銘柄だけ選択を受け付けるようにタバコ交換機９０又は飲料交換機９５に指示することで、ディスプレイ部９０１又は９５１にて当該銘柄のタバコ又は飲料に対応する選択ボタンだけを点灯させ、この選択ボタンの押下操作を通じて遊技客が希望するタバコ又は飲料の銘柄が指定されると、当該貸出レートの貯玉口座に対する貯玉減算依頼を行い、会員管理Ｔ／Ｃ１０から貯玉の減算完了応答を受信すると、タバコ交換機９０又は飲料交換機９５に対して投出許可を行って選択銘柄のタバコ又は飲料を投出させるとともに、カード挿入口８３０から会員カードを返却する。
【０１２８】
交換チケット使用依頼部８９ｂは、会員管理Ｔ／Ｃ１０に対して交換チケットの使用依頼を行う処理部である。具体的には、使用対象の交換チケットが金額指定型交換チケットである場合には、交換チケットの購入残金額から指定銘柄の商品の交換価格を減算するように依頼し、また、使用対象の交換チケットが商品指定型交換チケットである場合には、当該交換チケットの消込み依頼を行う。
【０１２９】
［景品交換システムの処理の流れ］
次に、本実施例１に係る景品交換システムの処理の流れを説明する。ここで、本実施例１に係る景品交換システムの特徴である交換チケットに関する処理に重点を置いて説明することとし、以下では、ＣＲユニット３０によって行われる（１）金額指定型交換チケット購入処理、会員カード処理機６０によって行われる（２）計数制御処理及び（３）商品指定型交換チケット購入処理、自販機子機８０によって行われる（４）交換チケットを用いた景品交換処理の順に説明する。
【０１３０】
（１）金額指定型交換チケット購入処理
前述したように、ここでは、本実施例１に係る金額指定型交換チケット購入処理について説明する。図１３は、実施例１に係る金額指定型交換チケット購入処理の手順を示すフローチャートである。同図に示すように、ＣＲユニット３０において、交換チケット購入ボタン３１１の押下操作が行われると（ステップＳ１０１肯定）、交換チケット購入処理部３８ｂは、テンキーボタンの入力操作を通じて購入する交換チケットの金額指定を受け付ける（ステップＳ１０２）。
【０１３１】
このとき、現在挿入されているプリペイド残高が指定金額以上存在しなければ（ステップＳ１０３否定）、交換チケット購入処理部３８ｂは、紙幣挿入口３０８から現金が入金され（ステップＳ１０４肯定）、プリペイド更新依頼部３８ａによって入金金額が内臓カードに価値付けられた後に（ステップＳ１０５）、再びプリペイド残高と指定金額とを比較し、現在挿入されているプリペイド残高が指定金額以上になるまで（ステップＳ１０３肯定）、上記したステップＳ１０４〜１０５までの処理を繰り返し行う。
【０１３２】
また、現在挿入されているプリペイド残高が指定金額以上存在する場合（ステップＳ１０３肯定）には、かざし部３１２のかざし喚起ＬＥＤを点灯させることにより携帯電話機１００のかざし操作を促す報知（かざし喚起報知）を行う（ステップＳ１０６）。
【０１３３】
このかざし喚起報知後から所定期間内に携帯電話機１００がかざし部３１２にかざされると（ステップＳ１０７肯定）、交換チケット購入処理部３８ｂは、携帯電話機１００内のＩＣチップ１１０に記憶されたＩＤｍをリーダライタ３６に読み取らせ（ステップＳ１０８）、プリペイド更新依頼部３８ａに交換チケットの購入対価（指定金額）を減算させてから（ステップＳ１０９）、これらＩＤｍ及び指定金額を含む交換チケット登録依頼を会員管理Ｔ／Ｃ１０に行い（ステップＳ１１０）、その後、会員管理Ｔ／Ｃ１０から登録完了通知を受信したならば、７ＳＥＧ表示部３０４を用いて交換チケットの購入完了報知を行い（ステップＳ１１１）、処理を終了する。
【０１３４】
また、かざし喚起報知後から所定期間内に携帯電話機１００がかざし部３１２にかざされなかったならば（ステップＳ１０７否定）、交換チケットの購入がキャンセルされたものと見做し、処理を終了する。
【０１３５】
（２）計数制御処理
次に、本実施例１に係る計数制御処理について説明する。図１４は、実施例１に係る計数制御処理の手順を示すフローチャートである。同図に示すように、当初会員カード処理機６０は、遊技店の従業員が所持する従業員カード（ＩＣカード）のかざし操作待ちの状態にあり（ステップＳ２０１否定）、遊技客により従業員カードが会員カード処理機６０にかざし操作されると（ステップＳ２０１肯定）、リーダライタ６５は、従業員カードから従業員ＩＤを読み取る（ステップＳ２０２）。
【０１３６】
続いて、計数制御部６７ａは、リーダライタ６５によって従業員カードから読み取った従業員ＩＤと、記憶部６６によって従業員ＩＤデータ６６ａとして記憶された登録従業員ＩＤ群とを照合し、その結果、登録従業員ＩＤの中に一致するものが存在しない場合（ステップＳ２０３否定）には、不正な計数処理が行われようとしている可能性が高いので、計数ＮＧ報知をタッチパネル６１に行う（ステップＳ２０４）。
【０１３７】
一方、登録従業員ＩＤの中に一致するものが存在する場合（ステップＳ２０３肯定）には、計数制御部６７ａは、タッチパネル６１を通じて投入玉の貸出レートの指定を受け付けてから（ステップＳ２０５肯定）、計数機５０に投入口を遮蔽するシャッタを開放するとともに、計数を開始するように指示する（ステップＳ２０６）。
【０１３８】
その後、所定期間（例えば、３秒）について計数信号が検出されなくなるまで（ステップＳ２０９否定）、計数制御部６７ａは、計数機５０からの計数信号を受信して（ステップＳ２０７肯定）、獲得玉数をカウントアップし、これと連動して、表示制御部６７ｂは、タッチパネル６１の獲得玉数（計数値）の表示を更新する（ステップＳ２０８）。
【０１３９】
そして、計数信号の検出が所定期間について途絶すると（ステップＳ２０９肯定）、表示制御部６７ｂは、記憶部６６によって記憶された画面データ６６ｃをもとに、獲得玉数（計数値）とともにレシート発行ボタン及び交換チケットの購入ボタンを含む計数終了画面（図１６参照）をタッチパネル６１に表示させる（ステップＳ２１０）。
【０１４０】
この時、交換チケットの購入ボタンが押下されると（ステップＳ２１１肯定）、後述する「商品指定型交換チケット購入処理」を行ってから（ステップＳ２１２）処理を終了し、一方、レシート発行ボタンが押下操作されると（ステップＳ２１３肯定）、レシート発行制御部６７ｃは、記憶部６６に記憶された印字データ６６ｂをもとに、遊技店の名称、発行日時、計数機番号及び計数値（獲得玉数）の文字情報を印字するとともに、計数値、発行日時及び計数機番号を含む計数情報をバーコード印字するようにプリンタ６４を制御し（ステップＳ２１４）、処理を終了する。
【０１４１】
（３）商品指定型交換チケット購入処理
続いて、本実施例１に係る商品指定型交換チケット購入処理について説明する。図１５は、実施例１に係る商品指定型交換チケット購入処理の手順を示すフローチャートである。この処理は、上記したステップＳ２１２に示した処理に対応しており、交換チケットの購入ボタンが押下されると（ステップＳ２１１肯定）開始される。
【０１４２】
同図に示すように、表示制御部６７ｂは、指定する商品のカテゴリを選択させる商品カテゴリ選択画面（図１６参照）を表示させて、指定を希望する商品のカテゴリの選択を受け付け（ステップＳ３０１）、そして、商品のカテゴリの選択を受け付けると、選択を受け付けたカテゴリに該当し、かつステップＳ２０５で受け付けた指定貸出レートに該当し、かつ交換玉数が計数値以内である商品について、その商品名及び交換玉数とともに各商品ごとの購入ボタン及び交換チケット購入のキャンセルボタンを含む指定景品決定画面（図１６参照）を表示させる（ステップＳ３０２）。
【０１４３】
このとき、タッチパネル６１に表示された指定景品決定画面上で所望商品の購入ボタンの押下操作を受け付けずにキャンセルボタンの押下操作を受け付けた場合（ステップＳ３０３否定かつステップＳ３０４肯定）には、表示制御部６７ｂは、上記したステップＳ３０１及び３０２の処理をもう一度行う。
【０１４４】
一方、タッチパネル６１に表示された指定景品決定画面上で所望商品の購入ボタンの押下操作を受け付けた場合（ステップＳ３０３肯定）には、表示制御部６７ｂは、携帯電話機１００のかざし操作を呼びかけるかざし操作喚起画面（図１６参照）を表示させる（ステップＳ３０５）。
【０１４５】
ここで、タッチパネル６１に表示されたかざし操作喚起画面が表示されてから所定期間内に携帯電話機１００がかざし部６０２にかざされると（ステップＳ３０６肯定）、交換チケット購入処理部６７ｄは、リーダライタ６５を通じて当該携帯電話機１００のＩＤｍを取得し（ステップＳ３０７）、交換玉数データ６６ｄを参照して獲得玉数（計数値）から当該指定景品の交換玉数を減算してから（ステップＳ３０８）、これらＩＤｍ及び指定景品を含む交換チケット登録依頼を会員管理Ｔ／Ｃ１０に行う（ステップＳ３０９）。なお、この登録依頼を受け付けた会員管理Ｔ／Ｃ１０では、かかるＩＤｍ及び指定景品を対応付けて交換チケット管理テーブル１４ｂに登録し、登録後に登録完了通知を交換チケット購入処理部６７ｄに返信する。
【０１４６】
そして、会員管理Ｔ／Ｃ１０による登録完了通知を受信すると、表示制御部６７ｂは、商品指定型交換チケットの購入が完了した旨（交換チケットを関連付けた携帯電話機１００のＩＤｍ及び指定景品の商品名）をタッチパネル６１に表示させ、計数値に余り玉がなければ（ステップＳ３１１否定）、そのまま処理を終了し、計数値に余り玉があれば（ステップＳ３１１肯定）、余り玉分の計数レシートをレシート発行制御部６７ｃに印字発行させ（ステップＳ３１２）、処理を終了する。なお、ここでは、余り玉をレシート発行することとしたが、現物（パチンコ玉）をそのまま返却したり、貯玉させるようにしてもかまわない。
【０１４７】
一方、タッチパネル６１に表示されたかざし操作喚起画面が表示されてから所定期間内に携帯電話機１００がかざし部６０２にかざされなかったならば（ステップＳ３０６否定）、ステップＳ２１４の処理に移行し、レシート発行制御部６７ｃに計数レシートを発行させてから処理を終了する。
【０１４８】
（４）交換チケットを用いた景品交換処理
次に、本実施例１に係る交換チケットを用いた景品交換処理について説明する。図１７は、実施例１に係る交換チケットを用いた景品交換処理の手順を示すフローチャートである。同図に示すように、自販機子機８０において、携帯電話機１００がかざし部８７０にかざされると（ステップＳ４０１肯定）、交換チケット使用依頼部８９ｂは、携帯電話機１００のＩＤｍをリーダライタ８７に読み取らせ（ステップＳ４０２）、該読み取らせたＩＤｍに対応する交換チケットが存在するか否かを会員管理Ｔ／Ｃ１０に問い合わせる（ステップＳ４０３）。
【０１４９】
このとき、当該ＩＤｍに対応する交換チケットが存在する旨の応答が得られた場合（ステップＳ４０４肯定）には、交換チケット使用依頼部８９ｂは、問合せ応答として得られた交換チケットの購入内容をタッチパネル８２に表示させ（ステップＳ４０５）、問合せ応答として得られた交換チケットが複数存在するならば（ステップＳ４０６肯定）、タッチパネル８２を通じて使用対象とする交換チケットの選択をさらに受け付ける（ステップＳ４０７）。なお、当該ＩＤｍに対応する交換チケットが存在する旨の応答が得られなかった場合（ステップＳ４０４否定）には、交換チケットを用いた景品交換を行うことはできないのでそのまま処理を終了する。
【０１５０】
ここで、使用対象となる交換チケットが金額指定型交換チケットである場合（ステップＳ４０８肯定）に、交換制御部８９ａは、交換価値管理テーブル８８ａを参照して当該交換チケットの購入残金額が最低交換価格以上であるか否かを判定する（ステップＳ４０９）。なお、購入残金額が最低交換価格未満である場合（ステップＳ４０９否定）には、交換可能な景品（タバコ及び飲料）が存在しないので、そのまま処理を終了する。
【０１５１】
そして、交換チケットの購入残金額が最低交換価格以上である場合（ステップＳ４０９肯定）には、交換制御部８９ａは、購入残金額が交換価格以上であるタバコ又は飲料の銘柄だけ選択を受け付けるようにタバコ交換機９０又は飲料交換機９５に指示する（ステップＳ４１０）。なお、タバコ交換機９０又は飲料交換機９５では、ディスプレイ部９０１又は９５１にて当該銘柄のタバコ又は飲料に対応する選択ボタンだけ点灯させる。
【０１５２】
その後、交換を行う遊技客によってタバコ交換機９０のディスプレイ部９０１内で点灯している選択ボタン、或いは飲料交換機９５のディスプレイ部９５１内で点灯している選択ボタンが押下され、該押下された選択ボタンに対応するタバコ又は飲料の銘柄が選択景品情報として自販機子機８０に通知される。
【０１５３】
そして、タバコ交換機９０又は飲料交換機９５から選択景品情報（タバコ銘柄又は飲料銘柄の指定情報）を受信すると（ステップＳ４１１肯定）、交換チケット使用依頼部８９ｂは、交換チケットの購入残金額から指定銘柄の商品の交換価格を減算するように依頼した後に（ステップＳ４１２）、会員管理Ｔ／Ｃ１０から購入残金額の減算完了応答を受信すると（ステップＳ４１３）、タバコ交換機９０又は飲料交換機９５に対して投出許可を行って選択銘柄のタバコ又は飲料を投出させ（ステップＳ４１４）、処理を終了する。
【０１５４】
また、タバコ交換機９０又は飲料交換機９５からの選択景品情報を受信待機している場合（ステップＳ４１１否定）に、交換中止ボタン８１０の押下操作を受け付けると（ステップＳ４１５肯定）、交換取引は中止され、そのまま処理を終了する。
【０１５５】
一方、使用対象となる交換チケットが商品指定型交換チケットである場合（ステップＳ４０８否定）に、交換チケット使用依頼部８９ｂは、交換チケットに希望商品の銘柄が予め対応付けられているので、ディスプレイ部９０１又は９５１の選択ボタンでタバコ又は飲料の銘柄を選択させる必要はなく、当該交換チケットの消込みを会員管理Ｔ／Ｃ１０に依頼し（ステップＳ４１６）、会員管理Ｔ／Ｃ１０から消込み完了応答を受信すると（ステップＳ４１７）、タバコ交換機９０又は飲料交換機９５に対して投出許可を行って選択銘柄のタバコ又は飲料を投出させ（ステップＳ４１４）、処理を終了する。
【０１５６】
上述してきたように、本実施例１では、ＣＲユニット３０又は会員カード処理機６０等の店内機器に景品と交換可能な価値を携帯電話機１００に関連付けさせておき、自販機子機８０に携帯電話機１００に関連付けられた価値と景品との交換制御を行わせるように構成したので、自販機子機で電子データを交換対価として使用させることができる結果、低レートコーナーを設けた場合でも会員／非会員を問わず自販機子機を利用させることができ、遊技客の景品交換サービスに係る利便性を向上させることが可能である。
【０１５７】
また、本実施例１では、景品との交換を行う金額の指定を受け付け、プリペイドカードに価値付けられた価値又は現金から受け付けた指定金額を徴収し、該徴収した指定金額と等価な景品との交換を保証する交換チケットを携帯電話機１００に関連付け、携帯電話機１００に関連付けられた交換チケットと、該交換チケットに対応する指定金額範囲内の景品との交換制御を行うように構成したので、遊技客が任意の金額を交換チケットに関連付けることができる結果、たとえば電子マネーと同等の利便性を持たせたり、指定金額未満の価値の景品の中から希望する景品を自販機子機８０で自由に選択させたりすることができ、遊技客の景品交換サービスに係る利便性を効果的に向上させることが可能である。
【０１５８】
また、本実施例１では、交換対象とする景品の指定を受け付け、獲得玉の計数結果から受け付けた指定景品と等価な数量のパチンコ玉を徴収し、指定景品分の遊技媒体を徴収した場合に、受け付けた指定景品との交換を保証する交換チケットを携帯電話機１００に関連付け、携帯電話機１００に関連付けられた交換チケットと、該交換チケットに対応する指定景品との交換制御を行うように構成したので、たとえば自販機子機８０で交換景品を選択させる手間を不要化することができ、遊技客の景品交換サービスに係る利便性を効果的に向上させることが可能である。さらに、これに関連して、自販機子機８０でパチンコ玉を使用させることなく、十分な受入れ許容量を有する計数機で現物と引き換えに交換チケットを携帯電話機１００に関連付けることとしたので、結果として現物と景品とを交換させることが可能になる。
【実施例２】
【０１５９】
さて、これまで本発明の実施例について説明したが、本発明は上述した実施例以外にも、種々の異なる形態にて実施されてよいものである。そこで、以下では、本発明に含まれる他の実施例を説明する。
【０１６０】
（１）交換チケットの関連付け
例えば、上記した実施例１では、交換チケットを携帯電話機１００に関連付けてから所定期間もしくは交換チケットを用いた交換制御が検知されなくなってから所定期間に限って当該交換チケットの使用を有効とする有効期限を携帯電話機１００にさらに関連付けるようにしてもよい。例えば、図１８に示すように、会員管理Ｔ／Ｃ１０に交換チケットごとの有効期限を管理させておき、この有効期限を途過した場合には、その景品交換を禁止させるように自販機子機８０を構成することで、遊技客に交換チケットが無期限に保有されることがなくなり、たとえば遊技店が在庫として用意しておくべき品数を低減させたり、遊技店が来店のインセンティブとして譲渡しやすくしたりすることが可能になる。
【０１６１】
また、本発明では、ＣＲユニット３０で交換チケットを携帯電話機１００に関連付け（購入）させる場合には、購入後にプリペイド残高が貸出単位金額の整数倍になるように余剰分を貸し玉で投出させるようにしてもよい。すなわち、これによって、プリペイドカードに精算不能な金額（例えば、１０円単位の金額）が残すことを未然に防ぎ、他の店内機器との連携を担保することができる。
【０１６２】
（２）指定金額又は指定商品の入力操作
例えば、上記した実施例１では、会員カード処理機６０で交換を希望する景品の指定を受け付けることとしたが、必ずしも会員カード処理機６０で受け付けさせる必要はない。例えば、交換対象とする景品の指定を受け付け、受け付けた指定景品をＩＣチップ１１０又は携帯電話機１００のメモリに登録するアプリケーションを携帯電話機１００にダウンロードさせておき、会員カード処理機６０においては、携帯電話機１００に記憶された指定景品を取得し、獲得玉の計数結果から取得した指定景品の交換玉数を徴収し、指定景品の交換玉数を徴収した場合に、商品指定型交換チケットを携帯電話機１００に関連付け、携帯電話機１００に関連付けられた交換チケットと、該交換チケットに対応する指定景品との交換制御を行うことで、携帯電話機１００で指定景品を前もって入力させておくことができる結果、たとえば数多の景品の中から指定景品をゆっくり選択させるとともに、計数時に交換を希望する景品を指定させる手間を不要化することができる。
【０１６３】
また、本発明では、指定金額及び指定商品をＩＤｍと対応付けて履歴として記憶しておき、次回以降の交換チケットの購入時に指定金額又は指定商品を優先的に選択させるように支援してもよい。
【０１６４】
（３）交換チケットの購入残金額の利用
例えば、本発明では、交換チケットに対応する指定金額未満の景品が交換対象として選択された場合に、指定金額から当該景品との交換に要する交換金額を減算することとしたが、１度でも景品交換に使用された購入残金額については、その購入残金額と引き換えに該購入残金額に相当する数量のパチンコ玉を貸出し処理するようにＣＲユニット３０を構成してもよい。すなわち、これによって、交換チケットの購入金額を余すことなく使用させることができる結果、交換チケットの指定金額を厳密に設定させる必要がなくなり、遊技客の景品交換サービスに係る利便性を効果的に向上させることが可能になる。
【０１６５】
（４）その他
また、上記実施例１では、携帯電話機１００を会員カードの代わりに使用させるために携帯電話機１００内のＩＣチップ１１０に記憶されたＩＤｍを用いることとしたが、本発明はこれに限定されるものではなく、遊技客を一意に特定することができる識別情報（例えば、遊技店により発行される会員ＩＤ、電話番号、電子メールアドレスや携帯電話機１００の製造番号等）であれば任意のものを用いることができる。
【０１６６】
また、上記した実施例１では、携帯電話機１００に交換チケットを関連付ける例を説明したが、本発明はこれに限定されるものではなく、計数機５０で計数値を貯玉させる計数貯玉により携帯電話機１００やその他の記録媒体等の携帯端末に交換可能な価値を関連付け、この携帯端末に関連付けられた貯玉残高と引き換えに景品交換を行わせるようにした場合でも、自販機子機で電子データを交換対価として使用させることができる。
【０１６７】
また、上記した実施例１では、携帯電話機１００のＩＤｍに紐付けて交換チケットを上位装置（会員管理Ｔ／Ｃ１０）にて管理させる例を説明したが、本発明はこれに限定されるものではなく、携帯電話機１００内のＩＣチップ１１０やメモリに交換チケットを記憶させるようにしても本発明を同様に適用することができる。
【０１６８】
なお、上記した実施例１では、ＣＲユニット３０や会員カード処理機６０等の元来固有の機能を有する店内機器に交換チケットの関連付け機能を付加する例を説明したが、必ずしも既存の店内機器に交換チケットの関連付け機能を付加する必要はなく、交換チケットの関連付けを行う専用の端末を設ける場合にも本発明を同様に適用することができる。
【０１６９】
なお、上記した実施例１では、パチンコ玉を計数する計数機能を有する計数機と、計数レシート発行機能及び計数貯玉機能を有する会員カード処理機とをそれぞれ別体として構成した場合を説明したが、本発明はこれに限定されるものではなく、計数機能、計数レシート発行機能及び計数貯玉機能のすべてを統合して有する一体型の計数機として構成した場合にも本発明を同様に適用することができる。
【０１７０】
なお、上記した実施例１では、自販機子機８０とタバコ交換機９０及び飲料交換機９５とを別体に構成した場合を説明したが、必ずしも各個に構成する必要はなく、両者の機能を統合して一体型として構成した場合にも本発明を同様に適用することができる。
【０１７１】
また、上記した実施例１では、自販機子機８０がタバコ交換及び飲料交換を行う例を説明するが、必ずしもこれらの景品交換を行う必要はなく、その他の食料、雑誌やデジタルコンテンツ等の景品との交換を行う場合にも本発明を同様に適用することができる。
【０１７２】
なお、上記した実施例１では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店及びパチスロ店に本発明を適用する例を説明したが、本発明はこれに限定されるものではなく、ゲームセンタ等の遊技施設にも同様に適用することができる。
【０１７３】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１７４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【産業上の利用可能性】
【０１７５】
以上のように、本発明に係る景品交換システム及び景品交換方法は、遊技客の景品交換サービスに係る利便性を向上させる場合に適している。
【図面の簡単な説明】
【０１７６】
【図１】実施例１に係る遊技店の店内システムのシステム構成を示す図である。
【図２】実施例１に係る景品交換システムの特徴を説明するための説明図である。
【図３】図１に示した会員管理Ｔ／Ｃの構成を示す機能ブロック図である。
【図４】交換チケット管理テーブルに記憶される情報の構成例を示す図である。
【図５】図１に示したＣＲユニットの外観を示した正面図である。
【図６】図５に示したＣＲユニットの内部構成を示すブロック図である。
【図７】図１に示した会員カード処理機の外観を示した斜視図である。
【図８】図７に示した会員カード処理機６０の構成を示す機能ブロック図である。
【図９】交換玉数データとして記憶される情報の一例を示す図である。
【図１０】図１に示した自販機子機、タバコ交換機及び飲料交換機の外観を示す図である。
【図１１】図１０に示した自販機子機８０の構成を示す機能ブロック図である。
【図１２】交換価値管理テーブルに記憶される情報の構成例を示す図である。
【図１３】実施例１に係る金額指定型交換チケット購入処理の手順を示すフローチャートである。
【図１４】実施例１に係る計数制御処理の手順を示すフローチャートである。
【図１５】実施例１に係る商品指定型交換チケット購入処理の手順を示すフローチャートである。
【図１６】商品指定型交換チケット処理時に表示される画面の遷移例を示す図である。
【図１７】実施例１に係る交換チケットを用いた景品交換処理の手順を示すフローチャートである。
【図１８】交換チケット管理テーブルに記憶される情報の構成例を示す図である。
【符号の説明】
【０１７７】
１０    会員管理Ｔ／Ｃ
１１    入力部
１２    出力部
１３    ＩＦ部
１４    記憶部
１４ａ  貯玉管理テーブル
１４ｂ  交換チケット管理テーブル
１５    制御部
１５ａ  貯玉管理部
１５ｂ  交換チケット管理部
２０    島コントローラ
３０ａ，３０ｂ  ＣＲユニット
３１    表示部
３２    入力部
３３    通信Ｉ／Ｆ部
３４    ＢＶユニット部
３５ａ  Ｃ／Ｒ（カードリーダ）
３５ｂ  カード収納部
３５ｃ  搬送／繰出機構部
３６    リーダライタ
３７    記憶部
３８    制御部
３８ａ  プリペイド更新依頼部
３８ｂ  交換チケット購入処理部
４０ａ，４０ｂ  パチンコ機
５０    計数機
６０    会員カード処理機
６１    タッチパネル
６２    通信Ｉ／Ｆ部
６３    カードリーダ
６４    プリンタ
６５    リーダライタ
６６    記憶部
６７    制御部
６７ａ  計数制御部
６７ｂ  表示制御部
６７ｃ  レシート発行制御部
６７ｄ  交換チケット購入処理部
７０    景品管理装置
７５    景品払出機
８０    自販機子機
８１    操作部
８２    タッチパネル
８３    カード処理部
８４    通信Ｉ／Ｆ部
８５ａ  投入玉受入部
８５ｂ  投入玉返却部
８６ａ  計数部
８６ｂ  一時貯留部
８６ｃ  貯留部
８７    リーダライタ
８８    記憶部
８８ａ  交換価値管理テーブル
８９    制御部
８９ａ  交換制御部
８９ｂ  交換チケット使用依頼部
９０    タバコ交換機
９５    飲料交換機
【図１】
2009061037.tif 000003
【図２】
2009061037.tif 000004
【図３】
2009061037.tif 000005
【図４】
2009061037.tif 000006
【図５】
2009061037.tif 000007
【図６】
2009061037.tif 000008
【図７】
2009061037.tif 000009
【図８】
2009061037.tif 000010
【図９】
2009061037.tif 000011
【図１０】
2009061037.tif 000012
【図１１】
2009061037.tif 000013
【図１２】
2009061037.tif 000014
【図１３】
2009061037.tif 000015
【図１４】
2009061037.tif 000016
【図１５】
2009061037.tif 000017
【図１６】
2009061037.tif 000018
【図１７】
2009061037.tif 000019
【図１８】
2009061037.tif 000020